(57)【要約】      （修正有）【課題】高齢者（寝たきり含む）、赤ん坊の簡単、安全、清潔に汚物の処理ができるように提供する。【解決手段】オムツ本体のお尻の穴周りに縦（装着した時の前後方向）約１５センチ、横（装着した時の左右方向）約１２センチ、深さ数センチの排泄ポケット７を設け、排泄ポケット７の開口部を塞ぐような形で１枚の流せる吸収シート３を設置する。１枚の流せる吸収シート３は略長方形であり、長手方向においておおよそ３等分に折り分け、中央域が排便仮受け部、両側域に凸側シート面１１ａ、凹側シート面１１ｂを成し、排便仮受け部と凸側シート面１１ａ、凹側シート面１１ｂとの境界線をそれぞれ山折り線５、谷折り線６として折り返して、簡単にはがし外せるように接着された仮接着部４ａ、４ｂを設け、また、尿漏れ防止ギャザー２を設け、オムツ本体の前両側先端には面ファスナー凸８、後ろ両側先端に面ファスナー凹９を設けたことを特徴とする。【選択図】図１
2016073586.tif 000002
【特許請求の範囲】
【請求項１】
略長方形状をした通常のオムツ本体を想定した場合において、オムツ本体のお尻の穴周りに、縦（装着した時の前後方向）約１５センチ・横（装着した時の左右方向）約１２センチ・深さ数センチの排泄ポケットを設け、排泄ポケットの開口部を塞ぐような形で、１枚の流せる吸収シートを設置する。１枚の流せる吸収シートは、長手方向がオムツ本体の吸収パットの横幅に沿う略長方形であり、これの長手方向において、おおよそ３等分に折り分けるのであるが、中央域が排便仮受け部、それを挟む両側域が凸側シート面、凹側シート面を成し、排便仮受け部と凸側シート面、凹側シート面との、２つの境界線のいずれかを山折り線、谷折り線として折り返して、仮止め部のそれぞれ長手辺沿いの左右に、簡単にはがし外せるように接着された仮接着部を設ける。また、オムツ本体の長手両辺沿いに、尿漏れ防止ギャザーを設け、オムツ本体の、前両側先端に面ファスナー凸、後ろ両側先端に面ファスナー凹を設け、以上を特徴とする介護用又は乳幼児用紙オムツであり、仮接着部を設けて、計４ヶ所の仮止め部が設けられたことを特徴とする介護用又は乳幼児用紙オムツ。
【発明の詳細な説明】
【技術分野】
【０００１】  本発明は寝たきりや介護高齢者又は乳幼児用のオムツに関するものである。【０００２】  従来、介護を必要とされる高齢者や、身動きの取れない障害者、乳幼児のオムツを、取り替える際、特に大便時には、お尻の周りについた汚物を、清拭する際に、何枚ものお尻拭きを使用し、時間も大幅にとられ、介護者の負担が大きかった。
また、本体にサイドギャザーの、下部に添ってミシン目を付け、本体の上部、下部に、取り外しテープを取り付ける。使用するときは、本体テープを外してオムツを外す。次に赤ちゃんのおしりを、トイレに流せるお尻ふきで、きれいにして、新しいオムツと取り替える。
そして、外したオムツ本体の、取り外しテープを外し、ミシン目に添って、本体から取り外し部分を、取り外す。このとき、おしっこは本体に吸収され、便は取り外し部分に残っている。取り外し部分は、トイレに流せる素材で、できているので、そのままトイレに、流すことが出来る。（特許文献１参照）。
【先行技術文献】
【特許文献】
【０００３】
【特許文献１】  特開２００１−３３３９３５号公報
【発明の概要】
【発明が解決しようとする課題】
【０００４】  汚物を処理する際、どうしてもお尻の周りに、汚物がこびりついてしまい、処理に体力、気力が必要で、ストレスや介護負担が、大きくなってしまう。その為、清潔な拭が出来ず、お尻の皮膚や病気の原因となってしまっていた。
参照文献に示される先行技術は、取り外し部分全体が、吸収素材の為、長時間取り替えず、ほったらかし状態になると、湿潤にて、かぶれや床ずれの、原因になってしまう。
また、便はシート上に広がってしまうので、お尻にこびりつき、清拭処理がしにくく、不衛生である。その為、処理側にストレスや負担が、余計に掛かってきてしまう。
本発明は以上の問題点を解決するためになされたものである。
【課題を解決するための手段】
【０００５】  略長方形状をした通常のオムツ本体を想定した場合において、オムツ本体のお尻の穴周りに、縦（装着した時の前後方向）約１５センチ・横（装着した時の左右方向）約１２センチ・深さ数センチの排泄ポケットを設け、排泄ポケットの開口部を塞ぐような形で、１枚の流せる吸収シートを設置する。１枚の流せる吸収シートは、長手方向がオムツ本体の吸収パットの横幅に沿う略長方形であり、これの長手方向において、おおよそ３等分に折り分けるのであるが、中央域が排便仮受け部、それを挟む両側域が凸側シート面、凹側シート面を成し、排便仮受け部と凸側シート面、凹側シート面との、２つの境界線のいずれかを山折り線、谷折り線として折り返して、仮止め部のそれぞれ長手辺沿いの左右に、簡単にはがし外せるように接着された仮接着部を設ける。
また、オムツ本体の長手両辺沿いに、尿漏れ防止ギャザーを設け、オムツ本体の、前両側先端に面ファスナー凸、後ろ両側先端に面ファスナー凹を設ける。
以上を特徴とする介護用又は乳幼児用紙オムツである。
【発明の効果】
【０００６】  従来、不可能とされていた紙オムツ使用法を、本発明により可能にし、簡単で清潔、安全な交換処理が行え、ストレス軽減や、プライバシー保護にも繋がり、介護する側、される側の信頼関係が、より良い方向に発展し、円滑な生活を送る事ができる。
また、排泄ポケットを設け、流せる吸収シートを設けることで、お尻がクリーンな状態に保てる為、床ずれの危険性も、回避出来る。
幼児用としては、こびりつきや、かぶれを無くし、オムツ交換や排泄物処理にも、手間が掛からず、育児ノイローゼ等の緩和にも繋がる。
本発明は立位高齢者だけでなく、寝たきり高齢者、障害者、乳幼児まで対応する事ができる。
【図面の簡単な説明】
【０００７】
【図１】本発明の斜視図
【図２】本発明の平面図
【図３】本発明の一部である流せる吸収シートをオムツ本体に装着された状態を示す平面図
【図４】本発明の一部である流せる吸収シートを折り重ねた状態を示す展開図
【図５】本発明を長手中心線に沿って切断した状態を示す断面図
【図６】本発明の使用手順を示したイメージ図
【発明を実施するための形態】
【０００８】以下、本発明の実施の形態を説明する。
略長方形状をした通常のオムツ本体を想定した場合において、オムツ本体のお尻の穴周りに、縦（装着した時の前後方向）約１５センチ・横（装着した時の左右方向）約１２センチ、深さ数センチの排泄ポケット（７）を設け、排泄ポケット（７）の開口部を塞ぐような形で、１枚の流せる吸収シート（３）を設置する。１枚の流せる吸収シート（３）は、尿漏れ防止ギャザー（２）の内側沿いであり、長手方向がオムツ本体の吸収パット（１）の横幅に沿う略長方形にあり、これの長手方向において、おおよそ３等分に折り分けるのであるが、中央域を排便仮受け部（１０）、それを挟む両側域の凸側シート面（１１ａ）と、凹側シート面（１１ｂ）を成し、排便仮受け部（１０）と凸側シート面（１１ａ）、凹側シート面（１１ｂ）の、２つの境界線のいずれかを谷折り線（６）、いずれかを山折り線（５）、として折り重ね、重ね合わせ仮止め部（４）のそれぞれ長手辺沿いの左右に、簡単にはがし剥がせるように接着された、仮接着部（４ａ）と、仮接着部（４ｂ）を設ける。
本発明は、以上のような構成であり、以下、これを実際に使用する時の具体的な状態について説明する。
本発明を使用するときは、使用者のお尻の穴部分を排泄ポケット（７）の上に設けてある流せる吸収シート（３）の中心にある、排便仮受け部（１０）の上に合わせ、面ファスナー凸（８）を面ファスナー凹（９）に、貼り付けて止める。
排泄物（１２）の処理には、排泄物（１２）の重みで流せる吸収シート（３）の中心部となる、排便仮受け部（１０）を止めている、重ね合わせ仮止め部（４）がはがれて、排泄ポケット（７）に、流せる吸収シート（３）に包まれた、排泄物（１２）が落とされる。流せる吸収シート（３）に収まった排泄物（１２）は、流せる吸収シート（３）の、４つ端の仮り接着部（４ａ）、仮り接着部（４ｂ）を、手（１３）ではがして、排泄物（１２）を包む様に、４つの仮り接着部（４ａ）、仮接着部（４ｂ）を、一点に集め、つまむようにして、流せる吸収シート（３）ごと、トイレにそのまま流す事ができる。
そうする事で、お尻周りを汚さずに、排泄物（１２）の処理が可能で、介護者や処理側に、過度のストレスや、大きな負担を、減らす事につながり、スムーズ且つ、迅速な交換処理対応につながる。また、介護される側の、プライドを傷つけることなく、円滑な人間関係も保つことができる。
【０００９】      １．本体の吸収パッド、２．尿漏れ防止ギャザー、３．流せる吸収シート、
４．仮止め部、４ａ．仮接着部、４ｂ．仮接着部、５．山折り線、
６．谷折り線、７．排泄ポケット、８．面ファスナー凸、
９．面ファスナー凹、１０．排便仮受け部、１１ａ凸側シート面、
１１ｂ．凹側シート面、１２．排泄物、１３．手、
【図１】
2016073586.tif 000003
【図２】
2016073586.tif 000004
【図３】
2016073586.tif 000005
【図４】
2016073586.tif 000006
【図５】
2016073586.tif 000007
【図６】
2016073586.tif 000008